【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】  バッグ等の携帯物の外部に露出させて取り付けられる吊下げ帯収納装置であって、該吊下げ帯収納装置は、ショルダーバンド等の吊下げ帯を引き込み収納する吊下げ帯収納機構と、該吊下げ帯収納機構を覆って収納装置外観を乗り物、動物、飲料容器、スポーツ用具、キャラクターグッズ等の携帯物用装飾品に擬似化させた装飾ケースとを備えることを特徴とする吊下げ帯収納装置。
【請求項２】  前記装飾ケースは、前記吊下げ帯収納機構または携帯物の機能的外形に沿わない膨出部を有することを特徴とする請求項１に記載の吊下げ帯収納装置。
【請求項３】  前記装飾ケースは、広告、宣伝用の媒体として構成してあることを特徴とする請求項１又は２に記載の吊下げ帯収納装置。
【請求項４】  前記装飾ケースは、缶入り飲料の容器形状を有することを特徴とする請求項１乃至３のいずれかに記載の吊下げ帯収納装置。
【請求項５】  前記装飾ケースは、前記吊下げ帯収納装置を前記携帯物に取り付けるための取付部を有することを特徴とする請求項１乃至４のいずれかに記載の吊下げ帯収納装置。
【請求項６】  前記取付部は、前記吊下げ帯収納機構よりも幅広に形成されていることを特徴とする請求項１乃至５のいずれかに記載の吊下げ帯収納装置。
【請求項７】  前記吊下げ帯収納装置は、前記携帯物に対して着脱自在に取り付けられることを特徴とする請求項１乃至６のいずれかに記載の吊下げ帯収納装置。
【請求項８】  前記吊下げ帯収納装置は、前記携帯物に対して一体的に取り付けられることを特徴とする請求項１乃至７のいずれかに記載の吊下げ帯収納装置。
【請求項９】  バッグ等の携帯物の外部に露出させて取り付けられ、ショルダーバンド等の吊下げ帯を引き込み収納する吊下げ帯収納装置用のケースであって、該ケースは、吊下げ帯収納機構を覆って収納装置外観を乗り物、動物、飲料容器、スポーツ用具、キャラクターグッズ等の携帯物用装飾品に擬似化させる装飾ケースであることを特徴とする吊下げ帯収納装置用装飾ケース。
【請求項１０】  前記装飾ケースは、前記吊下げ帯収納装置または携帯物の機能的外形に沿わない膨出部を有することを特徴とする請求項９に記載の吊下げ帯収納装置用装飾ケース。
【請求項１１】  前記装飾ケースは、広告、宣伝用の媒体として構成してあることを特徴とする請求項９又は１０に記載の吊下げ帯収納装置用装飾ケース。
【請求項１２】  前記装飾ケースは、缶入り飲料の容器形状を有することを特徴とする請求項９乃至１１のいずれかに記載の吊下げ帯収納装置用装飾ケース。
【請求項１３】  前記装飾ケースは、前記吊下げ帯収納装置を前記携帯物に取り付けるための取付部を有することを特徴とする請求項９乃至１２のいずれかに記載の吊下げ帯収納装置用装飾ケース。
【請求項１４】  前記取付部は、前記吊下げ帯収納装置よりも幅広に形成されていることを特徴とする請求項９乃至１３のいずれかに記載の吊下げ帯収納装置用装飾ケース。
【請求項１５】  前記前記装飾ケースは、前記吊下げ帯収納装置に対して着脱自在に取り付けられることを特徴とする請求項９乃至１４のいずれかに記載の吊下げ帯収納装置用装飾ケース。
【請求項１６】  バッグ等の携帯物に取り付けられる乗り物、動物、飲料容器、スポーツ用具、キャラクターグッズ等がデザイン化された装飾品であって、該装飾品には、ショルダーバンド等の吊下げ帯を引き込み収納する吊下げ帯収納機構が組み込まれていることを特徴とする携帯物用装飾品。
【請求項１７】  前記装飾品は、前記吊下げ帯収納機構または携帯物の機能的外形に沿わない膨出部を有することを特徴とする請求項１６に記載の携帯物用装飾品。
【請求項１８】  前記装飾品は、広告、宣伝用の媒体として構成してあることを特徴とする請求項１６又は１７に記載の携帯物用装飾品。
【請求項１９】  前記装飾品は、缶入り飲料の容器形状を有することを特徴とする請求項１６乃至１８のいずれかに記載の携帯物用装飾品。
【請求項２０】  前記装飾品は、前記携帯物に取り付けるための取付部を有し、且つ、該取付部が前記吊下げ帯収納機構よりも幅広に形成されていることを特徴とする請求項１６乃至１９のいずれかに記載の携帯物用装飾品。
【請求項２１】  前記装飾品は、前記携帯物に対して着脱自在に取り付けられることを特徴とする請求項１６乃至２０のいずれかに記載の携帯物用装飾品。
【請求項２２】  前記装飾品は、前記携帯物に対して一体的に取り付けられることを特徴とする請求項１６乃至２１のいずれかに記載の携帯物用装飾品。
【手続補正２】
【補正対象書類名】明細書
【補正対象項目名】００１７
【補正方法】変更
【補正の内容】
【００１７】
図７は第二実施形態の吊下げ帯収納装置を示す斜視図である。この図に示すように、第二実施形態の吊下げ帯収納装置１８は、吊下げ帯収納機構１を覆う飛行機玩具形状の装飾ケース１９と、該装飾ケース１９の下面部に設けられる取付部２０と、操作ボタン１１とを備えて構成されている。このものは、第一実施形態の吊下げ帯収納装置１２と同様に、吊下げ帯収納機構１の機能的外形に沿わない前後、左右、上下方向に該膨出部１９ａをもって構成されており、かつ、広告宣伝用の媒体として構成されるが、前記取付部２０は、その外観形状に影響を与えることなく飛行機の胴部と羽根部で覆い隠して、吊下げ帯収納機構１の底部を露出させることができるため、装飾ケース１９の底部に設けられている。そして、バッグ１６に予め取り付けられた図示しない基部に対して着脱可能に取付けするように一対の嵌合構造にて構成されており、吊下げ帯収納装置１８をバッグ１６に取付けたとき、取付部２０およびバッグ１６側の基部を装飾ケース１９で覆い隠すことができるようになっている。この場合、受注需用者としてのターゲットは、航空機メーカーであり、各メーカーの航空バッグと共に空港などで販売する販路の確保が期待できる。
なお、本実施例の取付部２０を第一実施例の如き取付部１４とし、第一実施例の取付部１４を本実施例の取付部２０として良いことは勿論である。
【手続補正３】
【補正対象書類名】明細書
【補正対象項目名】００１８
【補正方法】変更
【補正の内容】
【００１８】
図８は第三実施形態の吊下げ帯収納装置を示す斜視図である。この図に示すように、第三実施形態の吊下げ帯収納装置２１は、吊下げ帯収納機構１を覆う装飾ケース２２と、図示しない取付部とを備えて構成されている。このものは、第二実施形態の吊下げ帯収納装置１８と略同様の機能を奏するが、バッグ１６に対して一体的に取付けられるため、取付強度をさらに高めることができる許りでなく、その外観形態が従前の形態に捕らわれない意味不明の形状にデザインされ、このものは装飾性の高い吊下げ帯収納装置２１をバッグ１６に一体化することにより、バッグ１６の装飾的価値を高めるために供される。
なお、装飾ケースは上記の実施例のものに限定されず、くま、ライオンなどの動物、ボール、小物入れスポーツバッグなどの運動用具、自動車、電車、船舶等の乗り物、ビア樽、ビン、ペットボトル等の飲料容器、ロボット、マスコット人形などのキャラクターグッズ等、様々な携帯物用装飾品に擬似化させたものを応用できることは言うまでもない。
【手続補正４】
【補正対象書類名】図面
【補正対象項目名】図８
【補正方法】変更
【補正の内容】
【図８】
2002282029.tif 000001